(57)【要約】【課題】物資保管設備の構築コストの観点において経済的に有利でありながら、庫内を効率的に冷却することができ、しかも、空調管理物資の保管量に応じて柔軟に低温環境とした倉庫空間の数を変化させることができる物資保管設備を提供する。【解決手段】外壁に冷気導入口を備えた複数の倉庫と、前記倉庫外に敷設した軌道上を走行する台車に冷気生成器を搭載し前記倉庫の冷気導入口に着脱可能な冷気送給管を配設してなる移動冷却装置と、を備え、前記倉庫の冷気導入口に前記移動冷却装置の冷気送給管が届く領域を前記移動冷却装置が各倉庫毎に巡るよう前記軌道を敷設して、各倉庫を同倉庫の数よりも少ない数の冷気生成器で冷却可能に構成した。【選択図】図１
2017030906.tif 000002
【特許請求の範囲】
【請求項１】
外壁に冷気導入口を備えた倉庫と、
前記倉庫の冷気導入口に接続される冷気送給管を配設した冷気生成器と、を備え、
同冷気生成器は、前記倉庫の冷気導入口に前記冷気送給管が届く領域に配置して構成したことを特徴とする物資保管設備。
【請求項２】
外壁に冷気導入口を備えた複数の倉庫と、
前記倉庫外に敷設した軌道上を走行する台車に冷気生成器を搭載し前記倉庫の冷気導入口に着脱可能な冷気送給管を配設してなる移動冷却装置と、を備え、
前記倉庫の冷気導入口に前記移動冷却装置の冷気送給管が届く領域を前記移動冷却装置が各倉庫毎に巡るよう前記軌道を敷設して、各倉庫を同倉庫の数よりも少ない数の冷気生成器で冷却可能に構成したことを特徴とする物資保管設備。
【請求項３】
前記倉庫は外観視略直方体形状を有するものであり、
前記冷気導入口は前記倉庫の妻面に形成し、前記冷気導入口を形成した妻面と対向する妻面に第１の扉を形成すると共に、
冷気導入口を形成した妻面に近い前記倉庫の側壁部に第２の扉を形成したことを特徴とする請求項１又は請求項２に記載の物資保管設備。
【請求項４】
前記倉庫にはその内部床面に、物資を載置したパレットを滑動させるローラコンベアを配設したことを特徴とする請求項３に記載の物資保管設備。
【請求項５】
前記倉庫は、前記第１の扉の外方にスロープを備えることを特徴とする請求項３又は請求項４に記載の物資保管設備。
【請求項６】
前記倉庫は、コンテナであることを特徴とする請求項１〜５いずれか１項に記載の物資保管設備。
【請求項７】
請求項１〜６いずれか１項に記載の物資保管設備を構成する倉庫内に、送風機と水抜き穴とを配設すると共に、種籾を播種した複数の育苗箱を重畳して配置可能に構成したことを特徴とする芽出し設備。
【発明の詳細な説明】
【技術分野】
【０００１】
本発明は、物資保管設備及び同物資保管設備を用いた芽出し設備に関する。
【背景技術】
【０００２】
従来、農業や製造業、物流業など様々な事業分野において、器具や資材、荷物等の物資を保管するために、複数の倉庫を配置して構築した物資保管設備が広く利用されている。
【０００３】
例えば代表例として農業分野に言及すると、物資保管設備では、農機具類やビニールハウスの構築資材、田畑の管理用資材などが保管される。
【０００４】
また、これらのような常温状態で保管するものの他、収穫した籾や玄米など温度や湿度管理を必要とする物資（以下、空調管理物資ともいう。）についても保管する場合がある。
【０００５】
特に、空調管理物資を保管する倉庫には、倉庫内の温度状態や湿度状態を空調管理物資に適合した低温環境とすべく、冷却装置を付設するのが一般的である。
【０００６】
特許文献１は、空調管理物資としての籾の保管設備が記載されている。この特許文献１に記載の物資保管設備によれば、籾を良好な低温条件の下で保管できるとしている。
【先行技術文献】
【特許文献】
【０００７】
【特許文献１】特開平０９−０３０６０５号公報
【発明の概要】
【発明が解決しようとする課題】
【０００８】
ところで、特許文献１に示すような従来の物資保管設備では、複数の倉庫のいずれにおいても空調管理物資を保管可能とするために、倉庫毎にそれぞれ冷却装置が付設されている。
【０００９】
しかしながら、このような倉庫の多くは、冷却装置によって一度空気調和を行えば、庫内の状態は所望する温度や湿度に比較的長時間に亘って保たれるため、小規模な物資保管設備にあっては冷却装置の停止時間が長くなり、稼働率が悪く非効率的となっている。
【００１０】
また、倉庫に保管される物資は、前述の通り必ずしも空調管理物資ばかりではなく、特に空気調和を必要とせず常温のままで保管可能なものも多い。
【００１１】
それゆえ、冷却装置を付設した倉庫に常温保管可能な物資を収容した場合には、その倉庫の冷却装置は稼動されず、やはり非効率的と言わざるを得ない。
【００１２】
特に、前述の農業分野において、空調管理物資としての籾や玄米は季節によって保管量が大きく変動するものであるが、保管量が多いときには冷却装置が付設された倉庫が多く必要となる一方、保管量が少ないときには一部の倉庫を除いて冷却装置は必要としない。
【００１３】
しかしながら、倉庫には空調管理物資の保管量が最も多いときに併せて冷却装置を付設しておく必要があり、物資保管設備の構築コストが高くなる原因となっていた。
【００１４】
本発明は、斯かる事情に鑑みてなされたものであって、物資保管設備の構築コストの観点において経済的に有利でありながら、庫内を効率的に冷却することができ、しかも、空調管理物資の保管量に応じて柔軟に低温環境とした倉庫空間の数を変化させることができる物資保管設備を提供する。
【００１５】
また本発明では、前記物資保管設備を用い、育苗箱に播種した籾からの発芽を促してマット苗やポット苗を得るための芽出し設備についても提供する。
【課題を解決するための手段】
【００１６】
上記従来の課題を解決するために、本発明に係る物資保管設備では、（１）外壁に冷気導入口を備えた倉庫と、前記倉庫の冷気導入口に接続される冷気送給管を配設した冷気生成器と、を備え、同冷気生成器は、前記倉庫の冷気導入口に前記冷気送給管が届く領域に配置して構成した。
【００１７】
また、上記従来の課題を解決するために、本発明に係る物資保管設備では、（２）外壁に冷気導入口を備えた複数の倉庫と、前記倉庫外に敷設した軌道上を走行する台車に冷気生成器を搭載し前記倉庫の冷気導入口に着脱可能な冷気送給管を配設してなる移動冷却装置と、を備え、前記倉庫の冷気導入口に前記移動冷却装置の冷気送給管が届く領域を前記移動冷却装置が各倉庫毎に巡るよう前記軌道を敷設して、各倉庫を同倉庫の数よりも少ない数の冷気生成器で冷却可能に構成した。
【００１８】
また、本発明に係る物資保管設備では、以下の点にも特徴を有する。
（３）前記倉庫は外観視略直方体形状を有するものであり、前記冷気導入口は前記倉庫の妻面に形成し、前記冷気導入口を形成した妻面と対向する妻面に第１の扉を形成すると共に、冷気導入口を形成した妻面に近い前記倉庫の側壁部に第２の扉を形成したこと。
（４）前記倉庫にはその内部床面に、物資を載置したパレットを滑動させるローラコンベアを配設したこと。
（５）前記倉庫は、前記第１の扉の外方にスロープを備えること。
（６）前記倉庫は、コンテナであること。
【００１９】
また、本発明に係る芽出し設備では、（７）上記（１）〜（６）のいずれかの物資保管設備を構成する倉庫内に、送風機と水抜き穴とを配設すると共に、種籾を播種した複数の育苗箱を重畳して配置可能に構成した。
【発明の効果】
【００２０】
本発明に係る物資保管設備によれば、外壁に冷気導入口を備えた倉庫と、前記倉庫の冷気導入口に接続される冷気送給管を配設した冷気生成器と、を備え、同冷気生成器は、前記倉庫の冷気導入口に前記冷気送給管が届く領域に配置して構成したため、物資保管設備の構築コストの観点において経済的に有利でありながら、庫内を効率的に冷却可能な物資保管設備を提供することができる。
【００２１】
また、本発明に係る物資保管設備によれば、外壁に冷気導入口を備えた複数の倉庫と、前記倉庫外に敷設した軌道上を走行する台車に冷気生成器を搭載し前記倉庫の冷気導入口に着脱可能な冷気送給管を配設してなる移動冷却装置と、を備え、前記倉庫の冷気導入口に前記移動冷却装置の冷気送給管が届く領域を前記移動冷却装置が各倉庫毎に巡るよう前記軌道を敷設して、各倉庫を同倉庫の数よりも少ない数の冷気生成器で冷却可能に構成したため、物資保管設備の構築コストの観点において経済的に有利でありながら、庫内を効率的に冷却することができ、しかも、空調管理物資の保管量に応じて柔軟に低温環境とした倉庫空間の数を変化可能な物資保管設備を提供することができる。
【００２２】
また、本発明に係る物資保管設備において、前記倉庫は外観視略直方体形状を有するものであり、前記冷気導入口は前記倉庫の妻面に形成し、前記冷気導入口を形成した妻面と対向する妻面に第１の扉を形成すると共に、冷気導入口を形成した妻面に近い前記倉庫の側壁部に第２の扉を形成すれば、経時的に複数の物資を第１の扉より搬入して順次倉庫の奥に寄せて保管することにより、保管時間の長い物資ほど容易に倉庫外へ第２の扉から搬出することができる。すなわち、先入れ先出しを容易に行うことができる。
【００２３】
また、本発明に係る物資保管設備において、前記倉庫にはその内部床面に、物資を載置したパレットを滑動させるローラコンベアを配設すれば、例えばフォークリフト等により倉庫内の第１の扉近傍に物資を載置したパレットを配置すれば、あとは人力でそのパレットを容易に倉庫の奥に移動させることが可能となる。
【００２４】
また、本発明に係る物資保管設備において、前記倉庫は、前記第１の扉の外方にスロープを備えることとすれば、例えばフォークリフト等を倉庫内に容易に進入させることができ、物資を載置したパレットを倉庫の奥に移動させるのに要する労力を飛躍的に軽減することができる。
【００２５】
また、本発明に係る物資保管設備において、前記倉庫は、コンテナであることとすれば、耐候性や断熱性に優れた物資保管設備を容易に構築することができる。
【００２６】
また、本発明に係る芽出し設備によれば、前述の（１）〜（６）のいずれかの物資保管設備を構成する倉庫内に、送風機と水抜き穴とを配設すると共に、種籾を播種した複数の育苗箱を重畳して配置可能に構成したため、省スペースでありながら安定した温度環境下で育苗箱に播種した籾からの発芽を促すことができ、しかも大量のマット苗やポット苗を得るために必要な労力を削減することができる。
【図面の簡単な説明】
【００２７】
【図１】本実施形態に係る物資保管設備の外観を示した説明図である。
【図２】移動冷却装置の構成を示した説明図である。
【図３】物資保管設備における軌道の敷設状況を示した説明図である。
【図４】コンテナ倉庫の外観を示した説明図である。
【図５】コンテナ倉庫の内部構成を示した説明図である。
【図６】コンテナ倉庫の冷却過程を示した説明図である。
【図７】コンテナ倉庫への資材の搬入・搬出過程を示した説明図である。
【図８】変形例に係る物資保管設備の構成を示した説明図である。
【図９】芽出し設備の構成を示した説明図である。
【図１０】本実施形態に係る物資保管設備の構成を示した説明図である。
【図１１】本実施形態に係る物資保管設備の構成を示した説明図である。
【図１２】本実施形態に係る物資保管設備の構成を示した説明図である。
【図１３】本実施形態に係る芽出し設備の構成を示した説明図である。
【発明を実施するための形態】
【００２８】
本発明は、器具や資材、荷物等の物資を保管するための倉庫を配置して構築した物資保管設備を提供するものである。
【００２９】
本実施形態に係る物資保管設備において保管される物資は特に限定されるものではなく、前述のように農業や製造業、物流業など様々な事業分野において取り扱われる器具や資材、荷物等とすることができるが、中でも農業関連物資の保管に適している。
【００３０】
特に、本実施形態に係る物資保管設備では、外壁に冷気導入口を備えた複数の倉庫と、前記倉庫外に敷設した軌道上を走行する台車に冷気生成器を搭載し前記倉庫の冷気導入口に着脱可能な冷気送給管を配設してなる移動冷却装置と、を備えている。
【００３１】
ここで倉庫は、その形状や構造については特に限定されるものではない。例えば切妻型のプレハブ構造を有する倉庫であっても良いし、陸屋根を備えたコンクリート造りの倉庫であっても良く、また、物流用のコンテナを流用して構築したものであっても良い。例えばコンクリート造りの如き倉庫にあっては、必ずしも複数の倉庫が別棟建てである必要はなく、一体的な建屋の内部に空間を隔てる構造物を配置し複数の倉庫室を形成した構造であっても良い。
【００３２】
また、上述した各種態様の倉庫の中でも、コンテナは元々炎天下や寒冷地においても十分な耐久性を有し、また、貨物を保護できる程度の断熱性を備えていることから、本実施形態に係る物資保管設備における倉庫として好適である。
【００３３】
このようなコンテナとしては、例えば、船積みのために規格化された所謂海上コンテナや、鉄道輸送に適した鉄道コンテナを挙げることができる。また、海上コンテナとしては、40フィートや20フィートのドライコンテナやサーマルコンテナを採用することができる。
【００３４】
また、倉庫の数は１若しくは２以上であれば特に限定されるものではないが、後述する移動冷却装置の冷却能力や、倉庫自体の断熱性等に由来する温度や湿度の保持能力とのバランスを踏まえてその数を決定すべきである。
【００３５】
すなわち、個々の倉庫は、所定の倉庫を所望の温度帯に冷却し、次いで他の全ての倉庫を順次所望の温度帯に冷却した後であっても、前記所定の倉庫は未だ所望の温度帯を保てる程度の温度や湿度の保持能力を有しているのが望ましく、各倉庫を順次所望の温度帯とするのに必要な時間は、移動冷却装置の冷却能力が高いほど短くなる。
【００３６】
また、倉庫には冷気導入口を形成している。この冷気導入口は、移動冷却装置より供給される冷気の受け入れ口として機能する部位である。
【００３７】
移動冷却装置は、倉庫外に敷設した軌道上を走行する台車に冷気生成器を搭載し倉庫の冷気導入口に着脱可能な冷気送給管を配設してなる。
【００３８】
ここで軌道はレールにて構成していても良く、また、轍のようなものであっても良い。従って、台車に配置する車輪はフランジを備える鉄道用車輪の如きものに限定されず、タイヤや樹脂製リングを装着したキャスターの如き車輪であっても良い。発明の理解の為に敢えて限定的に表現するならば、軌道と台車に配設される車輪との組み合わせは、移動冷却装置を動力によって、より好ましくは人力によって軌道上を比較的容易に移動できる程度の摩擦抵抗である組み合わせが望ましい。なお、軌道をレールにて構成した場合には、枕木を備えるようにしても良く、また、備えなくとも良い。例えば、特開平１１−３６４５０９号公報や、特開２００２−１３６２２５号公報の如く、枕木を用いることなくレールを敷設することも可能である。
【００３９】
冷気生成器は、所定の倉庫を所望の温度帯に冷却し、次いで他の全ての倉庫を順次所望の温度帯に冷却した場合に、各倉庫を順次所望の温度帯とするのに必要な時間が、前記所定の倉庫が所望の温度帯を保持できる時間よりも短くなる程度の冷却能力を有していれば特に限定されるものではなく、市販の空調装置や冷蔵装置等を利用することができる。なお、冷気生成器（移動冷却装置）の数は、倉庫の数や各倉庫あたりの保管容量、冷気生成器の冷却能力等に応じて、倉庫の数よりも少ない数の範囲で適宜選択することができるが、比較的小規模な物資保管設備であれば、冷気生成器（移動冷却装置）を１台で賄うのが望ましい。
【００４０】
また、移動冷却装置には、冷気生成器にて生成した冷気を送出する冷気送給管を備えている。この冷気送給管は各倉庫に形成された冷気導入口に対し、気密性を保ちながら着脱可能であれば良く、また、可撓性及び／又は伸縮性を有するのが望ましい。
【００４１】
そして、本実施形態に係る物資保管設備に特徴的には、倉庫の冷気導入口に移動冷却装置の冷気送給管が届く領域（以下、接続可能領域という。）を移動冷却装置が各倉庫毎に巡るよう軌道を敷設している。
【００４２】
従って、倉庫の数よりも少ない数の冷気生成器で各倉庫を冷却することができ、物資保管設備の構築コストの観点において経済的に有利でありながら、庫内を効率的に冷却することができる。
【００４３】
しかも、接続可能領域内に軌道が敷設された倉庫のうち所望の数の倉庫を冷却することができるため、空調管理物資の保管量に応じて柔軟に低温環境とした倉庫空間の数を変化させることができる。
【００４４】
また、倉庫は外観視略直方体形状を有するものとし、冷気導入口は倉庫の妻面に形成し、冷気導入口を形成した妻面と対向する妻面に第１の扉を形成すると共に、冷気導入口を形成した妻面に近い倉庫の側壁部に第２の扉を形成しても良い。
【００４５】
外観視略直方体形状の倉庫は、例えば、上記第１の扉を配設した入り口の左右両側に配設される倉庫の側壁間隔よりも倉庫の奥行きの方が長いものと解釈することができる。
【００４６】
そして、上述のような構成とすることにより、第１の扉から倉庫内に搬入された物資は順次奥へと詰めて保管されるが、第２の扉を使用することにより、先に入れたものから先に出す、所謂先入れ先出しが可能となる。
【００４７】
また、倉庫の内部床面には、物資を載置したパレットを滑動させるローラコンベアを奥行き方向に沿って配設しても良い。
【００４８】
倉庫内に収容する物資が比較的小さいものであったり、重量物である場合、フォークリフトやハンドリフト等のリフト装置によって運搬できるパレット上に載置しておくことでハンドリングを容易とすることができるが、パレットを倉庫内の床面に載置した場合、床面との摩擦力が大きいため人力で動かすのは困難となってしまう。
【００４９】
一方、本実施形態に係る物資保管設備では、倉庫にローラコンベアを備えたため、例えばフォークリフト等により倉庫内の第１の扉近傍に物資を載置したパレットを配置すれば、あとは人力でそのパレットを容易に倉庫の奥に移動させることが可能となる。
【００５０】
また、倉庫には、第１の扉の外方にスロープを備えるようにしても良い。すなわち、倉庫が設置された地面と倉庫の床面との段差を解消するスロープを設けることにより、フォークリフト等で倉庫内に乗り入れ可能となり、特に重量物の取扱い作業に要する労力を飛躍的に軽減することができる。
【００５１】
また、本願は、上述した物資保管設備を用い、育苗箱に播種した籾からの発芽を促してマット苗やポット苗を得るための芽出し設備について提供するものでもある。
【００５２】
本実施形態に係る芽出し設備に特徴的な構成としては、上述した物資保管設備を構成する倉庫内に、送風機と水抜き穴とを配設すると共に、種籾を播種した複数の育苗箱を重畳して配置可能に構成した点を挙げることができる。
【００５３】
送風機は、育苗に悪影響が出ない程度に庫内の空気を攪拌可能なものであれば特に限定されるものではなく、例えば、市販のエアサーキュレータ等を採用することができる。
【００５４】
また、水抜き穴は、育苗に際し給水に伴う余剰水を倉庫外に排出可能であって、倉庫内の温度や湿度の保持効果を極端に低下させるものでなければ特に限定されるものではなく、直径５〜１０センチメートル程度の外部貫通孔を倉庫の床面に形成することで実現しても良い。
【００５５】
また、倉庫内には、育苗箱を重畳させた状態で配置するための育苗箱重畳配置手段を備えるのが望ましい。この育苗箱重畳配置手段としては、例えば、育苗箱を上下方向に複数段に亘って収容するフレームラック等を採用することができる。また、このような育苗箱重畳配置手段は、育苗箱を載置した別のパレットを更にスタックできる程度の強度を有するのが望ましい。このような構成とすることにより、パレットに載置した育苗箱の上に、更に別のパレットを載置でき、上部空間を有効に利用して苗マットや苗ポットをより多く生産することができる。
【００５６】
以下、本実施形態に係る物資保管設備及び同物資保管設備を用いた芽出し設備について、図面を参照しながらより具体的に説明する。
【００５７】
図１は本実施形態に係る物資保管設備Ａの全体構成を示した説明図である。図１に示すように、本実施形態に係る物資保管設備Ａは、複数（本実施形態では３棟）のコンテナ倉庫１０と、各コンテナ倉庫１０の近傍を巡るように敷設された軌道１１と、軌道１１上を走行する移動冷却装置１２とを備えている。
【００５８】
コンテナ倉庫１０は、海上輸送に使用される外観視略直方体形状の40フィートドライコンテナを倉庫用として転用したものであり、図１にて示す一方の妻面１０ａには、移動冷却装置１２にて生成した冷気をコンテナ倉庫１０内に導入するための冷気導入口１３と、移動冷却装置１２によりコンテナ倉庫１０内の空気を吸い出すための吸出口１４とが形成されている。
【００５９】
軌道１１は、重量物である移動冷却装置１２を人力によって各コンテナ倉庫１０を巡らせるために敷設されたものであり、枕木１１ａ上にレール１１ｂを配置して構成している。なお、以下の説明において軌道１１は枕木１１ａを備えた状態として説明するが、この枕木１１ａは必ずしも必要ではなく、地面に直接レールを敷設するようにしても良い。
【００６０】
移動冷却装置１２は、図１及び図２に示すように、軌道１１上を走行する台車１５と、冷気送給管１６及び吸出管１７を備えた冷気生成器１８とで構成している。なお、本実施形態において移動冷却装置１２は、コンテナ倉庫１０の数（３棟）よりも少ない台数（１台）としている。
【００６１】
台車１５は、載置台１５ａの下方に車輪１５ｂを配設して構成しており、載置台１５ａに冷気生成器１８を載置した状態で軌道１１上を走行可能としている。
【００６２】
冷気生成器１８は、コンテナ倉庫１０内を冷却するための冷気を生成するための装置である。この冷気生成器１８は、軌道１１に沿って配設した給電手段としての配電設備１９より供給される電気によって駆動する。配電設備１９は、図１に示すように、軌道１１に沿って張設した支持ワイヤ１９ａと、支持ワイヤ１９ａを挿通させて移動可能とした複数のリング１９ｂと、同リング１９ｂ間に弛ませた状態で取り付けた電源ケーブル１９ｃとを備えており、図示しない電源から軌道上の任意の位置に移動させた冷気生成器１８に対して電力を供給可能に構成している。
【００６３】
冷気生成器１８は、コンテナ倉庫１０内の空気を吸気し、コンテナ倉庫１０内に供給する冷気を生成する。図２に示すように、冷気生成器１８に備えられた冷気送給管１６及び吸出管１７は、それぞれ伸縮可能な可撓性を有する管で形成されており、最大伸延長Ｌの長さまでその管先を到達可能としている。
【００６４】
また、冷気送給管１６及び吸出管１７の先端部には、それぞれ接続枠体１６ａ及び接続枠体１７ａが取り付けられている。これら接続枠体１６ａ及び接続枠体１７ａは、図２（ｂ）に示すように、冷気導入口１３及び吸出口１４の周囲に配設された装着受部１３ａ及び装着受部１４ａに対して上下方向にスライドさせながら挿入、離脱させるものであり、冷気送給管１６を冷気導入口１３に、吸出管１７を吸出口１４に対して着脱可能としている。これら接続枠体１６ａと装着受部１３ａ、接続枠体１７ａと装着受部１４ａは、冷気送給管１６や吸出管１７を冷気導入口１３や吸出口１４に対して可及的に気密性を保ちつつ着脱自在に接続するための通気連結手段として機能する。
【００６５】
したがって、冷気生成器１８は、吸出口１４及び吸出管１７を介してコンテナ倉庫１０内の空気を取り込み、これを冷却して冷気を生成し、冷気送給管１６及び冷気導入口１３を介して生成した冷気をコンテナ倉庫１０内に送り込むことができる。
【００６６】
なお、図示は省略するが、コンテナ倉庫１０に形成された冷気導入口１３や吸出口１４には、図示しない弁体が配設されており、冷気送給管１６や吸出管１７が接続されていない状態では外気がコンテナ倉庫１０内に流入しないようにしている。
【００６７】
ところで、各コンテナ倉庫１０には、図３にて一点鎖線で示すように、それぞれ接続可能領域２０が設定されている。
【００６８】
この接続可能領域２０は、冷気導入口１３を中心とし、半径が冷気送給管１６の最大伸延長Ｌである半円形の領域であり、冷気生成器１８が接続可能領域２０内に配置されることで、冷気送給管１６を冷気導入口１３に接続可能となる。
【００６９】
そして、本実施形態に係る物資保管設備において、前述した軌道１１は、各コンテナ倉庫１０の接続可能領域２０を巡るように敷設しており、接続可能領域２０が設定された各コンテナ倉庫１０のいずれにも冷気生成器１８にて生成した冷気を導入可能としている。
【００７０】
次に、コンテナ倉庫１０の構成について説明する。図４はコンテナ倉庫１０の外観を示した説明図である。なお、説明の便宜上図４では、複数のコンテナ倉庫１０のうち一つのコンテナ倉庫１０のみを示しており、他のコンテナ倉庫１０については記載を省略している。
【００７１】
コンテナ倉庫１０は、外観上の更なる特徴として、冷気導入口１３及び吸出口１４を設けた妻面１０ａと対向する妻面１０ｂに、物資の搬入搬出等を行うための第１の扉として機能する妻面扉２１を設け、その手前側にはコンテナ倉庫１０の設置面（地面）とコンテナ倉庫１０の内部床面との段差を解消するためのスロープ２２が形成されている。
【００７２】
また、コンテナ倉庫１０の側壁部１０ｃの妻面１０ａ寄りの位置、すなわち、妻面扉２１からコンテナ倉庫１０内に入って奥の突き当たりの側壁部１０ｃ部分には、物資の搬入搬出等を行うための第２の扉として機能する側面扉２３を設けており、側面扉２３から外方へ向けてコンテナ倉庫１０の設置面（地面）とコンテナ倉庫１０の内部床面との段差を解消するためのスロープ２２を形成している。
【００７３】
図５は、コンテナ倉庫１０の内部構造を示した平面視における断面図であり、内部には玄米収容袋２４を複数載置したパレット２５が収容されている状態を示している。
【００７４】
コンテナ倉庫１０の内部の床面１０ｄには、左右の側壁部１０ｃに沿って２本のローラコンベア２６が所定の間隔ｄを設けた状態で配設されている。この間隔ｄの長さは、パレット２５の幅よりも狭く、且つ、後述のフォークリフト２７が通過可能な長さとしている。
【００７５】
そして、これらのような構成を備える物資保管設備Ａにおいて、コンテナ倉庫１０内の冷却は次のようにして行うこととなる。
【００７６】
すなわち、図６（ａ）に示すように、まず、複数のコンテナ倉庫１０のうち所定のコンテナ倉庫１０（図６では、３棟のコンテナ倉庫１０のうち一番左のコンテナ倉庫１０）の接続可能領域２０内に移動冷却装置１２を移動させ、冷気送給管１６及び吸出管１７を冷気導入口１３及び吸出口１４に接続し、冷気生成器１８を稼動させて冷却を開始する。なお、図中コンテナ倉庫１０内の白抜き部分は冷気生成器１８からの冷気によって所望する温度帯にまで冷やされた空気を示しており、網掛け部分は、所望する温度帯に属する温度ではあるものの徐々に温度が上がりつつある比較的暖かい空気を示している。
【００７７】
所定のコンテナ倉庫１０の冷却を終えると、次いで図６（ｂ）に示すように、別のコンテナ倉庫１０（図６において真ん中のコンテナ倉庫１０）の接続可能領域２０に移動冷却装置１２を移動させて接続し、冷気生成器１８を稼動して冷却を開始する。このとき、最初に冷却を行ったコンテナ倉庫１０は、コンテナ倉庫１０自体の温度保持能（保冷能）により、しばらくの間低温状態を保っている。
【００７８】
次いで、コンテナ倉庫１０の冷却が終わると、図６（ｃ）に示すように、更なる別のコンテナ倉庫１０（図６において右のコンテナ倉庫１０）の接続可能領域２０に移動冷却装置１２を移動させて接続し、冷気生成器１８を稼動して冷却を開始する。
【００７９】
このとき、最初に冷却したコンテナ倉庫１０の内部温度が少しずつ上昇して冷却が必要な状態になりつつある場合には、図６（ｄ）に示すように、移動冷却装置１２を再び最初のコンテナ倉庫１０の接続可能領域２０内に移動させて接続し、冷気生成器１８を稼動して冷却することとなる。
【００８０】
このように、移動冷却装置１２が各コンテナ倉庫１０の接続可能領域２０を巡るように、軌道１１を敷設しているため、コンテナ倉庫１０の数よりも少ない台数（数）の移動冷却装置１２で、各コンテナ倉庫１０の冷却を効率良く行うことができる。
【００８１】
また、内部に常温保管可能な物資を収容した場合は、常温保管可能な物資を収容したコンテナ倉庫１０を飛ばして輪番で冷却を行えば良く、空調管理物資の他に常温保管可能な物資も搬入が予定されるにも拘わらず全ての倉庫に固定の冷却装置が設置された物資保管設備と比較して、冷却装置の稼動効率を改善することができる。
【００８２】
また、籾や玄米など、季節によってその量が変動する空調管理物資を保管する場合にあっても、全てのコンテナ倉庫１０を輪番冷却したり、空調管理物資が搬出された一部のコンテナ倉庫１０を飛ばして輪番冷却することにより、空調管理物資の保管量に応じて柔軟に低温環境とした倉庫空間の数を変化させることができる。
【００８３】
また、本実施形態に係る物資保管設備Ａのコンテナ倉庫１０は、個々に極めて機能的な構成を備えている。すなわち、前述のようにコンテナ倉庫１０は、妻面１０ｂに妻面扉２１を形成し、その外方にはスロープ２２が備えられている。
【００８４】
したがって、図７（ａ）に示すように、リフト装置（本実施形態ではフォークリフト２７）を用いて資材をコンテナ倉庫１０の内部に搬入することができ、特に重量物を搬入するにあたり飛躍的にその労力を軽減することができる。
【００８５】
また、コンテナ倉庫１０内部の床面１０ｄにはローラコンベア２６が配置されている。したがって、図７（ａ）に示すように、玄米収容袋２４等の物資が載置されたパレット２５をフォークリフト２７によりコンテナ倉庫１０内の妻面扉２１近傍に配置すれば、あとは図７（ｂ）に示すように、人力でそのパレット２５をローラコンベア２６上で滑動させて容易に倉庫の奥に移動させることが可能となる。
【００８６】
また、床面１０ｄに配置したローラコンベア２６は、フォークリフト２７の走行幅よりも広い間隔ｄをあけて配置している。したがって、図７（ｃ）に示すように、スロープ２２を登り、コンテナ倉庫１０内にフォークリフト２７を乗り入れてパレット２５をコンテナ倉庫１０の奥にまで直接移動させることも可能である。
【００８７】
また、コンテナ倉庫１０の側壁部１０ｃの妻面１０ａ寄りの位置には側面扉２３を設けており、側面扉２３から外方へ向けてスロープ２２を形成している。
【００８８】
したがって、最初に搬入した１番パレットに次いで２番パレットを搬入した場合、図７（ｄ）に示すように、この側面扉２３を使用すれば、搬入順である１番パレット、２番パレットの順で搬出することができ、所謂先入れ先出しを容易に行うことができる。
【００８９】
このように、本実施形態に係る物資保管設備Ａによれば、物資保管設備の構築コストの観点において経済的に有利でありながら、庫内を効率的に冷却することができ、しかも、空調管理物資の保管量に応じて柔軟に低温環境とした倉庫空間の数を変化させることができる物資保管設備を提供することができる。
【００９０】
次に、変形例に係る物資保管設備Ｂ及び物資保管設備Ｃについて、図８を参照しながら説明する。図８は、平面視における物資保管設備Ｂ及び物資保管設備Ｃを示した説明図である。
【００９１】
図８（ａ）に示すように、変形例に係る物資保管設備Ｂは、前述の物資保管設備Ａと略同様の構成としているが、各コンテナ倉庫１０を長手方向に少しずつずれた状態で配置しており、またこれに伴い、軌道１１が蛇行した状態となっている。
【００９２】
また、図８（ｂ）に示すように、変形例に係る物資保管設備Ｃについても、前述の物資保管設備Ａと略同様の構成を備えているが、より多くのコンテナ倉庫１０が放射状に配置されており、これに伴い軌道１１が無端状の円軌道を描くように敷設されている。
【００９３】
そして、物資保管設備Ｂ及び物資保管設備Ｃのいずれの場合においても、移動冷却装置１２が各コンテナ倉庫１０の接続可能領域２０を巡るように、軌道１１を敷設している。
【００９４】
このように、物資保管設備Ａにて示した直線状の軌道１１のみならず、コンテナ倉庫１０の配置に応じて蛇行したり無端状とした軌道１１を敷設しても良い。このような構成においても、コンテナ倉庫１０の数よりも少ない台数（数）の移動冷却装置１２で、各コンテナ倉庫１０の冷却を効率良く行うことができる
【００９５】
次に、本実施形態に係る芽出し設備Ｄについて図９を参照しつつ説明する。なお、芽出し設備Ｄの説明において、物資保管設備Ａと同様の構成については同じ符号を付して説明を省略する。
【００９６】
本実施形態に係る芽出し設備Ｄは、図３にて示した物資保管設備Ａと同様、複数のコンテナ倉庫１０より構成しており、図９はこのように配置されたコンテナ倉庫１０のうちの１つを示している。なお、複数のコンテナ倉庫１０のうち全てのコンテナ倉庫１０が以下に説明する内部構成を有する場合は本実施形態に係る芽出し設備Ｄの概念に含まれるのは勿論のこと、以下の内部構成を備えるコンテナ倉庫１０が複数のうちの一部である場合も、本実施形態に係る芽出し設備Ｄの概念に含まれると解釈すべきである。
【００９７】
芽出し設備Ｄを構成するコンテナ倉庫１０は、前述の物資保管設備Ａにおけるコンテナ倉庫１０と略同様の構成を備えているが、図９（ａ）に示すように、サーキュレータ３０と、水抜き穴３１と、育苗箱重畳配置手段としてのフレームラック３２とを備えている点で構成を異にしている。
【００９８】
サーキュレータ３０は、コンテナ倉庫１０の内部の空気を攪拌する送風機としての役割を有するものであり、空気の淀みを防止して庫内温度の均一化を図るとともに、苗に対して酸素や二酸化炭素を十分に供給して健全な育成を促すためのものである。
【００９９】
水抜き穴３１は、フレームラック３２に収容された育苗箱３３に水を供給した際に、余剰となった水を排出するための孔である。
【０１００】
フレームラック３２は、図９（ｂ）に示すように、種籾を播種した育苗箱３３を多段に重畳させた状態で保持するためのものであり、骨太のフレーム材３２ａで構成したフレーム体３２ｂの内部空間を仕切板３２ｃで多段（本実施形態では１５段）に仕切って構成している。
【０１０１】
また、フレームラック３２を構成するフレーム体３２ｂは、育苗箱３３を満載した別のフレームラック３２をパレット２５ごと載置した際の荷重に耐えうる強度を備えており、パレット２５を介して、又は介さずにフレームラック３２を積み重ね可能としている。
【０１０２】
そして、このような構成を備える芽出し設備Ｄによれば、前述の物資保管設備Ａと同様に、構築コストの観点において経済的に有利でありながら、庫内を効率的に冷却することができ、また、育苗箱３３の保管量に応じて柔軟に低温環境とした倉庫空間の数を変化させることができる。
【０１０３】
また、更に付言するならば、省スペースでありながら安定した温度環境下で育苗箱に播種した籾からの発芽を促すことができ、しかも大量のマット苗やポット苗を得るために必要な労力を削減することができる。
【０１０４】
このように、本実施形態に係る物資保管設備や芽出し設備は、物資の保管や育苗箱を用いた芽出しの作業において、極めて有用なものと言える。
【０１０５】
ここで改めて、本実施形態に係る物資保管設備について、更なる構成や技術思想等を含めつつ、その概要を図面を参照しながら簡潔に述べる。従来、中古海上輸送コンテナを利用した保管庫自体は存在しており、複数台のコンテナ運用において、コンテナ1台に対し1台の冷却装置を使用して運用されていた。
【０１０６】
しかしながら、コンテナ1台に冷却装置1台設置によりコスト負担が大きいことや、コンテナの特性上一度冷却すると庫内温度の上昇は緩やかであり、冷却装置の稼動率が少なく効率的ではないという問題点があった。
【０１０７】
そこで、図１０に示すような構成とし、複数台のコンテナに対し1台の冷却装置を使用することで、コスト負担の減少及び効率的な運用を可能とすることができ、また、冷却装置は重量物であるためレールを利用し移動することで、一人での作業ができる。
【０１０８】
また、冷却装置とコンテナの取り付けは蛇腹のダクトをパッチン錠で止めることで簡易に行え、冷却装置とコンテナは蛇腹ホースで送風・排風のダクトをワンタッチで繋ぐこともできる。更には、冷却装置はレールに乗せ移動することで労力の低減を行うことができる。
【０１０９】
また、中古海上輸送用コンテナを保管倉庫として利用する従来の態様にあっては、保管の際庫内への搬入時に段差がありフォークリフトで入れないため重量物の保管が難しいという問題があった。
【０１１０】
また、コンテナは出入口が一箇所しかないため先入先出しが難しいという問題や、既設置の冷凍冷蔵ユニットでは騒音が発生し住宅地では使用できないという問題、手積みによる労力が大きいという問題も有していた。
【０１１１】
そこで、図１１や図１２に示すような構成とすることにより、出入口にスロープを設置したため、フォークリフトで搬入搬出が可能になり、また、コンテナ側面に開閉扉を設置することで、側面から荷出しができ、先入先出しが可能となる。
【０１１２】
また、既設置の冷凍冷蔵ユニットを使用せず、エアコンを設置することで騒音低減となり設置場所を選ばないものとなり、更には、スロープを設置しない場合は庫内にローラーを設置することで、入口までリフトによる搬入を行った後、人力で庫内奥まで搬入が可能となる。
【０１１３】
また、本実施形態に係る芽出し設備について言及するならば、従来より既に販売されている芽出機が利用されているものの、既販売の芽出機は大量に処理が出来ないため工数が掛かるという問題があった。
【０１１４】
そこで、図１３に示すような構成とし、保管用コンテナを利用した芽出し設備とすることで、一度に大量の処理ができ工数削減により省力化に繋げることができる。
【０１１５】
上述してきたように、本実施形態に係る物資保管設備（例えば、物資保管設備Ａや物資保管設備Ｂ、物資保管設備Ｃ）によれば、外壁（例えば、妻面１０ａ）に冷気導入口（例えば、冷気導入口１３）を備えた倉庫（例えば、コンテナ倉庫１０）と、前記倉庫の冷気導入口に接続される冷気送給管（例えば、冷気送給管１６）を配設した冷気生成器（例えば、冷気生成器１８）と、を備え、同冷気生成器は、前記倉庫の冷気導入口に前記冷気送給管が届く領域（例えば、接続可能領域２０）に配置して構成したため、物資保管設備の構築コストの観点において経済的に有利でありながら、庫内を効率的に冷却可能な物資保管設備を提供することができる。
【０１１６】
特に、外壁（例えば、妻面１０ａ）に冷気導入口（例えば、冷気導入口１３）を備えた複数の倉庫（例えば、コンテナ倉庫１０）と、前記倉庫外に敷設した軌道（例えば、軌道１１）上を走行する台車（例えば、台車１５）に冷気生成器（例えば、冷気生成器１８）を搭載し前記倉庫の冷気導入口に着脱可能な冷気送給管（例えば、冷気送給管１６）を配設してなる移動冷却装置（例えば、移動冷却装置１２）と、を備え、前記倉庫の冷気導入口に前記移動冷却装置の冷気送給管が届く領域（例えば、接続可能領域２０）を前記移動冷却装置が各倉庫毎に巡るよう前記軌道を敷設して、各倉庫を同倉庫の数よりも少ない数の冷気生成器で冷却可能に構成すれば、物資保管設備の構築コストの観点において経済的に有利でありながら、庫内を効率的に冷却することができ、しかも、空調管理物資の保管量に応じて柔軟に低温環境とした倉庫空間の数を変化可能な物資保管設備を提供することができる。
【０１１７】
また、本実施形態に係る芽出し設備Ｄによれば、上述の物資保管設備（例えば、物資保管設備Ａや物資保管設備Ｂ、物資保管設備Ｃ）を構成する倉庫（例えば、コンテナ倉庫１０）内に、送風機（例えば、サーキュレータ３０）と水抜き穴（例えば、水抜き穴３１）とを配設すると共に、種籾を播種した複数の育苗箱（例えば、育苗箱３３）を重畳して配置可能に構成したため、省スペースでありながら安定した温度環境下で育苗箱に播種した籾からの発芽を促すことができ、しかも大量のマット苗やポット苗を得るために必要な労力を削減することができる。
【０１１８】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０１１９】
１０  コンテナ倉庫
１０ａ  妻面
１０ｂ  妻面
１０ｃ  側壁部
１０ｄ  床面
１１  軌道
１２  移動冷却装置
１３  冷気導入口
１５  台車
１６  冷気送給管
１８  冷気生成器
２０  接続可能領域
２１  妻面扉
２２  スロープ
２３  側面扉
２４  玄米収容袋
２５  パレット
２６  ローラコンベア
３０  サーキュレータ
３１  水抜き穴
３２  フレームラック
３３  育苗箱
Ａ  物資保管設備
Ｂ  物資保管設備
Ｃ  物資保管設備
Ｄ  芽出し設備
Ｌ  伸延長
【図１】
2017030906.tif 000003
【図２】
2017030906.tif 000004
【図３】
2017030906.tif 000005
【図４】
2017030906.tif 000006
【図５】
2017030906.tif 000007
【図６】
2017030906.tif 000008
【図７】
2017030906.tif 000009
【図８】
2017030906.tif 000010
【図９】
2017030906.tif 000011
【図１０】
2017030906.tif 000012
【図１１】
2017030906.tif 000013
【図１２】
2017030906.tif 000014
【図１３】
2017030906.tif 000015